(57)【要約】      （修正有）【課題】動作条件の変更を容易に実行し得る光学的情報読取装置を提供する。【解決手段】装置の動作条件を変更する場合には、変更開始用コード５４が表示されるとともに、この変更開始用コード５４が表示される他側面５２に通光可能な各通光穴５３ａ〜５３ｈが形成される変更開始用プレート５０を、光学的情報読取装置の読取窓に対向するように載置する。設定キーコード６２が露出された通光穴５３ａ〜５３ｈの位置に応じて、動作条件の変更が実行される。【選択図】図４
2012252674.tif 000002
【特許請求の範囲】
【請求項１】
撮像手段により読取口を介して撮像された情報コードを光学的に読み取る光学的情報読取装置であって、
当該光学的情報読取装置における動作条件の変更を開始する際に読み取らせる変更開始用コードが表示されるとともに、この変更開始用コードが表示される表示面に通光可能な通光穴が形成される変更開始用部材と、
前記変更開始用部材が前記読取口を塞ぐように載置されることで、前記撮像手段により前記設定開始用コードが撮像されて読み取られる場合に、前記通光穴が塞がれる遮光状態が撮像されると、この通光穴の前記設定開始用コードに対する位置に応じて、前記動作条件の変更を実行する動作条件変更手段と、
を備えることを特徴とする光学的情報読取装置。
【請求項２】
前記変更開始用部材の前記表示面には、複数の前記通光穴が形成されることを特徴とする請求項１に記載の光学的情報読取装置。
【請求項３】
前記動作条件変更手段は、
前記変更開始用部材が前記読取口を塞ぐように載置されることで、前記撮像手段により前記設定開始用コードが撮像されて読み取られる場合に、前記通光穴が特定の情報コードにより塞がれることでこの特定の情報コードが当該通光穴を介し撮像されて読み取られると、この通光穴の前記設定開始用コードに対する位置に応じて、前記動作条件の変更を実行することを特徴とする請求項１または２に記載の光学的情報読取装置。
【請求項４】
前記特定の情報コードには、前記動作条件の変更を許可するための許可情報が読み取り可能に記録され、
前記動作条件変更手段は、前記通光穴を介し撮像された情報コードから前記許可情報が読み取られる場合に、当該通光穴の前記設定開始用コードに対する位置に応じて、前記動作条件の変更を実行することを特徴とする請求項３に記載の光学的情報読取装置。
【発明の詳細な説明】
【技術分野】
【０００１】
本発明は、情報コードを光学的に読み取る光学的情報読取装置に関する。
【背景技術】
【０００２】
従来、情報コードを光学的に読み取る光学的情報読取装置において、タッチパネルやキーボードのような入力手段のない固定式の読取装置などでは、通信速度等の当該装置における動作条件を変更する方法として、例えば、通信Ｉ／Ｆ等を介してホストから所定の情報を送信する方法がある。しかしながら、動作条件の変更の度に上記所定の情報をホスト等から送信する必要があるため、当該動作条件の変更作業が煩雑になるという問題がある。また、入力手段を有する読取装置であっても、携帯型の読取装置のように入力手段まで小型化が図られるために入力操作が行いにくい読取装置では、上述のような動作条件の変更作業（入力作業）が煩雑になるという問題がある。
【０００３】
下記特許文献１に示すデータ処理装置では、変更すべき動作条件に応じてバーコードリーダ設定用のバーコードを作成して、このバーコードを読み取ったバーコードリーダの動作条件を変更する。具体的には、動作条件を変更するバーコードリーダのバーコードリーダ設定モードキーを押すことにより、当該バーコードリーダが、バーコードリーダ設定用バーコードを読み取り可能な状態になる。このような状態で、変更対象のバーコードリーダに所定のバーコードリーダ設定用バーコードを読み取らせることで、当該バーコードリーダの動作条件が読み取ったバーコードリーダ設定用バーコードに応じて変更される。これにより、バーコードリーダにおける動作条件を変更するための入力作業の簡素化を図っている。
【先行技術文献】
【特許文献】
【０００４】
【特許文献１】特開平１１−２８３１２６号公報
【発明の概要】
【発明が解決しようとする課題】
【０００５】
ところで、上記特許文献１に示すような動作条件の変更方法では、まず、変更すべき動作条件に応じた変更用バーコードを作成・印刷したうえで、動作条件の変更処理を開始するために変更用バーコードを読み取り可能な状態にした後に、この変更用バーコードを読み取る必要がある。このため、変更すべき動作条件を特定するための変更用バーコードを用意する必要があり、入力作業の簡素化が困難になり動作条件の変更を容易に実行することができないという問題がある。
【０００６】
本発明は、上述した課題を解決するためになされたものであり、その目的とするところは、動作条件の変更を容易に実行し得る光学的情報読取装置を提供することにある。
【課題を解決するための手段】
【０００７】
上記目的を達成するため、特許請求の範囲に記載の請求項１の光学的情報読取装置では、撮像手段により読取口を介して撮像された情報コードを光学的に読み取る光学的情報読取装置であって、当該光学的情報読取装置における動作条件の変更を開始する際に読み取らせる変更開始用コードが表示されるとともに、この変更開始用コードが表示される表示面に通光可能な通光穴が形成される変更開始用部材と、前記変更開始用部材が前記読取口を塞ぐように載置されることで、前記撮像手段により前記設定開始用コードが撮像されて読み取られる場合に、前記通光穴が塞がれる遮光状態が撮像されると、この通光穴の前記設定開始用コードに対する位置に応じて、前記動作条件の変更を実行する動作条件変更手段と、を備えることを特徴とする。
【０００８】
請求項２の発明は、請求項１に記載の光学的情報読取装置において、前記変更開始用部材の前記表示面には、複数の前記通光穴が形成されることを特徴とする。
【０００９】
請求項３の発明は、請求項１または２に記載の光学的情報読取装置において、前記動作条件変更手段は、前記変更開始用部材が前記読取口を塞ぐように載置されることで、前記撮像手段により前記設定開始用コードが撮像されて読み取られる場合に、前記通光穴が特定の情報コードにより塞がれることでこの特定の情報コードが当該通光穴を介し撮像されて読み取られると、この通光穴の前記設定開始用コードに対する位置に応じて、前記動作条件の変更を実行することを特徴とする。
【００１０】
請求項４の発明は、請求項３に記載の光学的情報読取装置において、前記特定の情報コードには、前記動作条件の変更を許可するための許可情報が読み取り可能に記録され、前記動作条件変更手段は、前記通光穴を介し撮像された情報コードから前記許可情報が読み取られる場合に、当該通光穴の前記設定開始用コードに対する位置に応じて、前記動作条件の変更を実行することを特徴とする。
【発明の効果】
【００１１】
請求項１の発明では、変更開始用コードが表示されるとともに、この変更開始用コードが表示される表示面に通光可能な通光穴が形成される変更開始用部材を、読取口を塞ぐように載置する。そして、撮像手段により設定開始用コードが撮像されて読み取られる場合に通光穴が塞がれる遮光状態が撮像されると、この通光穴の設定開始用コードに対する位置に応じて、動作条件変更手段により動作条件の変更が実行される。
【００１２】
これにより、作業者が所望の動作条件に対応する通光穴が形成される変更開始用部材を読取口を塞ぐように載置してその通光穴を塞ぐことで、所望の動作条件への変更が実行される。
したがって、光学的情報読取装置の動作条件の変更を容易に実行することができる。
【００１３】
請求項２の発明では、変更開始用部材の表示面には複数の通光穴が形成されるので、作業者は、読取口を塞ぐように載置された変更開始用部材の各通光穴のうち所望の動作条件の変更に応じた通光穴を遮光状態にすることで、当該所望の動作条件への変更が実行される。これにより、変更すべき動作条件が何種類もある場合でも、１つの変更開始用部材にて複数種類の動作条件の変更を容易に実行することができる。
【００１４】
請求項３の発明では、撮像手段により設定開始用コードが撮像されて読み取られる場合に、通光穴が特定の情報コードにより塞がれることでこの特定の情報コードが当該通光穴を介し撮像されて読み取られると、この通光穴の設定開始用コードに対する位置に応じて、動作条件変更手段により動作条件の変更が実行される。すなわち、作業者が変更開始用部材の各通光穴のうち所望の動作条件の変更に応じた通光穴に対して、その通光穴を塞ぐように特定の情報コードをかざすことで、当該所望の動作条件への変更が実行される。これにより、単に通光穴が遮光状態になっただけでは動作条件が変更されないため、作業者の意図しない動作条件の変更を防止することができる。
【００１５】
請求項４の発明では、通光穴を介し撮像された情報コードから許可情報が読み取られる場合に、当該通光穴の設定開始用コードに対する位置に応じて、動作条件変更手段により動作条件の変更が実行される。このため、上記特定の情報コードと同種の情報コードであっても上記許可情報が記録されない情報コードの読み取りでは動作条件が変更されないので、作業者の意図しない動作条件の変更を確実に防止することができる。
【図面の簡単な説明】
【００１６】
【図１】本実施形態に係る光学的情報読取装置を概略的に示す斜視図である。
【図２】図１の光学的情報読取装置の電気的構成を示すブロック図である。
【図３】変更開始用プレートを示す説明図である。
【図４】図４（Ａ）は、選択用部材を示す斜視図であり、図４（Ｂ）は、他側面において通光穴から設定キーコードを露出させた状態を示す説明図である。
【図５】制御回路において実施される読取処理の流れを例示するフローチャートである。
【図６】図５中の動作条件変更処理のサブルーチンを例示するフローチャートである。
【図７】本実施形態に係る変形例での動作条件変更処理のサブルーチンを例示するフローチャートである。
【発明を実施するための形態】
【００１７】
以下、本発明の光学的情報読取装置を具現化した一実施形態について、図面を参照して説明する。図１は、本実施形態に係る光学的情報読取装置１０を概略的に示す斜視図である。図２は、図１の光学的情報読取装置１０の電気的構成を示すブロック図である。
図１に示すように、光学的情報読取装置１０は、据え置き型の読取装置であって、ＡＢＳ樹脂等の合成樹脂からなるケース１１によって外郭が構成され、このケース１１の内部には、バーコードや二次元コード等の情報コードＣの読み取りを行う回路２０（後述）が収容されている。なお、図１では、携帯端末Ｔの表示画面に表示される情報コードを読み取る状態を例示している。
【００１８】
ケース１１の上面１２は、平面状に形成されており、この上面１２の中央には、矩形状の読取窓１３が設けられている。この読取窓１３は、当該読取装置１０から出射される照明光および情報コードＣからの反射光を透過可能な透明のアクリル樹脂やガラス等から形成されている。また、読取窓１３をケース１１に設けることにより、ケース１１内部への塵や埃などの異物の侵入を防止している。なお、読取窓１３は、特許請求の範囲に記載の「読取口」の一例に相当し得る。
【００１９】
次に、光学的情報読取装置１０の回路２０の電気的構成について説明する。
図２に示すように、回路２０は、主に、照明光源２１、受光センサ２８、結像レンズ２７等の光学系と、メモリ３５、制御回路４０等のマイクロコンピュータ（以下「マイコン」という）系と、から構成されている。
【００２０】
光学系は、投光光学系と、受光光学系とに分かれている。投光光学系を構成する照明光源２１は、照明光Ｌｆを発光可能な照明光源として機能するもので、例えば、赤色のＬＥＤとこのＬＥＤの出射側に設けられるレンズとから構成されている。なお、図２では、情報コードＣが表示画面に表示された携帯端末Ｔに向けて照明光Ｌｆを照射する例を概念的に示している。なお、照明光Ｌｆは、上述のように、読取窓１３を介してケース１１外へ出射される。
【００２１】
受光光学系は、受光センサ２８、結像レンズ２７、反射鏡（図示略）などによって構成されている。受光センサ２８は、ＣＣＤエリアセンサとして構成されるものであり、情報コードＣまたは携帯端末Ｔに照射されて反射した反射光Ｌｒを受光可能に構成されている。この受光センサ２８は、結像レンズ２７を介して入射する入射光を受光可能にプリント配線板（図示略）に実装されている。なお、受光センサ２８は、特許請求の範囲に記載の「撮像手段」の一例に相当し得る。
【００２２】
結像レンズ２７は、外部から読取窓１３を介して入射する入射光を集光して受光センサ２８の受光面２８ａに像を結像可能な結像光学系として機能するものである。本実施形態では、照明光源２１から照射された照明光Ｌｆが情報コードＣにて反射した後、この反射光Ｌｒを結像レンズ２７で集光し、受光センサ２８の受光面２８ａに情報コードＣの像を結像させている。
【００２３】
マイコン系は、増幅回路３１、Ａ／Ｄ変換回路３３、メモリ３５、アドレス発生回路３６、同期信号発生回路３８、制御回路４０等から構成されている。このマイコン系は、マイコン（情報処理装置）として機能し得る制御回路４０およびメモリ３５を中心として構成され、上述した光学系によって撮像された情報コードＣの画像信号をハードウェア的及びソフトウェア的に信号処理し得るものである。
【００２４】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、画像データ蓄積領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２５】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述した画像データ蓄積領域のほかに、制御回路４０が算術演算や論理演算等の各処理時に利用する作業領域や読取条件テーブルも確保可能に構成されている。またＲＯＭには、後述する読取処理、解析処理等を実行可能な所定プログラムやその他、照明光源２１、受光センサ２８等の各ハードウェアを制御可能なシステムプログラム等が予め格納されている。
【００２６】
制御回路４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御回路４０は、内蔵された入出力インタフェースを介して種々の入出力装置（周辺装置）や上位システムに相当するホストコンピュータ等と接続可能に構成されている。
【００２７】
図３は、変更開始用プレート５０を示す説明図であり、図３（Ａ）は一側面５１の表示状態を示し、図３（Ｂ）は他側面５２の表示状態を示す。図４（Ａ）は、選択用部材６０を示す斜視図であり、図４（Ｂ）は、他側面５２において通光穴５３ａから設定キーコード６２を露出させた状態を示す説明図である。
【００２８】
光学的情報読取装置１０には、当該装置の動作条件を変更するための変更開始用プレート５０と選択用部材６０とが用意されている。変更開始用プレート５０は、ケース１１の上面１２上に載置されるときに読取窓１３を塞ぐように平板状であって非通光性の材料にて形成されている。なお、本実施形態では、変更開始用プレート５０は、読取窓１３よりも広く形成されるが、これに限らず、読取窓１３よりも狭く形成されてもよいし、読取窓１３を塞ぐことが可能な形状に形成されてもよい。
【００２９】
図３（Ａ），（Ｂ）に示すように、変更開始用プレート５０には、一側面５１から他側面５２にかけて通光可能に開口する８つの通光穴５３ａ〜５３ｈが設けられている。各通光穴５３ａ〜５３ｈは、同一形状であってそれぞれ楕円状に開口するように形成されている。通光穴５３ａ〜５３ｃは、当該装置の動作条件として通信速度を変更するためのものであって、図３（Ａ）に示すように、一側面５１において、通光穴５３ａの近傍に「９６００」が表示され、通光穴５３ｂの近傍に「１９２００」が表示され、通光穴５３ｃの近傍に「３８４００」が表示されている。また、通光穴５３ｄ〜５３ｆは、当該装置の動作条件としてパリティを変更するためのものであって、一側面５１において、通光穴５３ｄの近傍に「無し」が表示され、通光穴５３ｅの近傍に「偶数」が表示され、通光穴５３ｆの近傍に「奇数」が表示されている。また、通光穴５３ｇ，５３ｈは、当該装置の動作条件としてデータ長を変更するためのものであって、一側面５１において、通光穴５３ｇの近傍に「８ビット」が表示され、通光穴５３ｈの近傍に「７ビット」が表示されている。
【００３０】
また、図３（Ｂ）に示すように、変更開始用プレート５０には、その他側面５２上であって通光穴５３ｂと通光穴５３ｅとの間に、変更開始用コード５４が表示されている。この変更開始用コード５４は、例えば、ＱＲコード（登録商標）であって、後述するデコード処理により、当該装置の動作条件の変更を開始するための変更開始情報と、他側面５２上における変更開始用コード５４と各通光穴５３ａ〜５３ｈとの相対位置情報と、各通光穴５３ａ〜５３ｈのいずれかから後述する設定キーコード６２が露出することでその通光穴が遮光される状態が検出されるときに当該通光穴に応じて選択される動作条件に関する動作条件情報と、が読み取られるように構成されている。
【００３１】
なお、上述した相対位置情報や動作条件情報は、変更開始用コード５４から直接読み取られることなく、予めメモリ３５に記憶しておき、変更開始用コード５４を読み取ったときに、この変更開始用コード５４に応じてメモリ３５から読み出されてもよい。また、変更開始用プレート５０は、特許請求の範囲に記載の「変更開始用部材」の一例に相当し、他側面５２は、特許請求の範囲に記載の「表示面」の一例に相当し得る。
【００３２】
図４（Ａ），（Ｂ）に示すように、選択用部材６０は、略円柱状に形成されており、その端面６１には、各通光穴５３ａ〜５３ｈのいずれかから露出可能な大きさの設定キーコード６２が表示されている。この設定キーコード６２は、例えば、ＱＲコードであって、当該装置の動作条件の変更を許可する許可情報が読み取られるように構成されている。なお、設定キーコード６２は、特許請求の範囲に記載の「特定の情報コード」の一例に相当し得る。
【００３３】
次に、上述のように構成される光学的情報読取装置１０の制御回路４０にて実行される読取処理について図５および図６に示すフローチャートを用いて詳細に説明する。図５は、制御回路４０において実施される読取処理の流れを例示するフローチャートである。図６は、図５中の動作条件変更処理のサブルーチンを例示するフローチャートである。
【００３４】
まず、制御回路４０では、図５のステップＳ１０１において、撮像処理がなされる。この処理では、読取窓１３に近付けられた情報コードが受光センサ２８により撮像されると、この情報コードを含む画像データがメモリ３５に記憶される。次に、ステップＳ１０３にてメモリ３５に記憶された画像データのうち情報コードに相当するコード画像に対して公知のデコード処理が実施される。この処理により、情報コードとして符号化された文字データ等がデコード（解読）されると、ステップＳ１０５にて、変更開始用コード５４の読み取りか否かについて判定される。ここで、ステップＳ１０１にて撮像された情報コードが変更開始用コード５４でないことから、ステップＳ１０５にてＮｏと判定されると、ステップＳ１０７にてデータ出力処理がなされる。この処理では、ステップＳ１０３にてデコードされた文字データ等がホストコンピュータ等に出力される。
【００３５】
一方、当該装置の動作条件の変更を開始するために、作業者により変更開始用プレート５０が他側面５２にて読取窓１３を塞ぐように上面１２上に載置されると、ステップＳ１０１にて変更開始用コード５４が撮像されることから、ステップＳ１０３にて上述した変更開始情報、相対位置情報および動作条件情報が読み取られる。このとき、変更開始用プレート５０は、その他側面５２にて読取窓１３を塞いでいるため、その一側面５１が作業者に見えるように上面１２上に載置されることとなる。
【００３６】
上述のように変更開始用コード５４が読み取られることで変更開始情報が取得されて、ステップＳ１０５にてＹｅｓと判定されると、ステップＳ２００にて動作条件変更処理のサブルーチンが実行される。なお、ステップＳ２００を実行する制御回路４０は、特許請求の範囲に記載の「動作条件変更手段」の一例に相当し得る。
【００３７】
このサブルーチンでは、まず、図６のステップＳ２０１にてステップＳ１０１と同様に撮像処理がなされた後、ステップＳ２０３において、ステップＳ２０１にて撮像された画像にて各通光穴５３ａ〜５３ｈのいずれかから情報コードが露出しているか否かについて判定される。そして、設定キーコード６２を含めた情報コードが通光穴を介して露出することでその通光穴が遮光される状態がステップＳ２０１にて撮像されるまで、ステップＳ２０３にてＮｏとの判定が繰り返される。なお、変更開始用プレート５０が、その他側面５２にて読取窓１３を塞ぐように上面１２上に載置されているため、ステップＳ２０１における撮像処理では、変更開始用コード５４が常に撮像されている。また、ステップＳ２０３にてＮｏとの判定が繰り返される状態において、変更開始用プレート５０が上面１２上から取り除かれたことから変更開始用コード５４が撮像されなくなると、本動作条件変更処理が終了される。
【００３８】
そして、例えば、通信速度を９６００ｂｐｓに変更するために、作業者が選択用部材６０の端面６１を通光穴５３ａに近付けることで、設定キーコード６２が通光穴５３ａを介して露出することで通光穴５３ａが遮光される状態がステップＳ２０１にて撮像されると（図４（Ｂ）参照）、ステップＳ２０３にてＹｅｓと判定される。
【００３９】
次に、ステップＳ２０５にてデコード処理がなされ、撮像された設定キーコード６２がデコード（解読）されることで上述した許可情報が読み取られると、ステップＳ２０７にてＹｅｓと判定される。続いて、ステップＳ２０９において、相対位置計測処理がなされる。この処理では、ステップＳ２０１にて撮像された画像において、変更開始用コード５４に対する設定キーコード６２の相対位置が計測される。
【００４０】
続いて、ステップＳ２１１において、動作条件設定処理がなされる。この処理では、ステップＳ２０９にて計測された設定キーコード６２の相対位置と、ステップＳ１０３にて取得した相対位置情報および動作条件情報とに基づいて、当該装置の動作条件が設定される。
【００４１】
具体的には、例えば、設定キーコード６２が通光穴５３ａを介して露出した状態で撮像される場合には、ステップＳ２０９にて計測される変更開始用コード５４に対する設定キーコード６２の相対位置は、上記相対位置情報に基づいて、変更開始用コード５４に対する通光穴５３ａの相対位置に相当すると判断できる。そのため、当該装置の動作条件は、上記動作条件情報に基づいて、通光穴５３ａに対応する動作条件である「通信速度９６００ｂｐｓ」に設定される。
【００４２】
また、例えば、ステップＳ２０１において、設定キーコード６２が通光穴５３ｄを介して露出した状態で撮像される場合には、ステップＳ２０９にて計測される変更開始用コード５４に対する設定キーコード６２の相対位置は、上記相対位置情報に基づいて、変更開始用コード５４に対する通光穴５３ｄの相対位置に相当すると判断できる。そのため、当該装置の動作条件は、上記動作条件情報に基づいて、通光穴５３ｄに対応する動作条件である「パリティ無し」に設定される。
【００４３】
また、例えば、ステップＳ２０１において、設定キーコード６２が通光穴５３ｇを介して露出した状態で撮像される場合には、ステップＳ２０９にて計測される変更開始用コード５４に対する設定キーコード６２の相対位置は、上記相対位置情報に基づいて、変更開始用コード５４に対する通光穴５３ｇの相対位置に相当すると判断できる。そのため、当該装置の動作条件は、上記動作条件情報に基づいて、通光穴５３ｇに対応する動作条件である「データ長８ビット」に設定される。
【００４４】
なお、設定キーコード６２と異なる情報コードがいずれかの通光穴を介して露出する状態がステップＳ２０１にて撮像されることで、ステップＳ２０３にてＹｅｓと判定されると、ステップＳ２０７にてＮｏと判定されて、上述したステップＳ２０９以降の処理を実施することなく、動作条件変更処理のサブルーチンを終了する。
【００４５】
以上説明したように、本実施形態に係る光学的情報読取装置１０では、当該装置の動作条件を変更する場合には、変更開始用コード５４が表示されるとともに、この変更開始用コード５４が表示される他側面５２に通光可能な各通光穴５３ａ〜５３ｈが形成される変更開始用プレート５０を、読取窓１３を塞ぐように載置する。そして、ステップＳ２０１にて設定開始用コード５４が撮像されて読み取られる場合に通光穴が塞がれる遮光状態が撮像されると、この通光穴の設定開始用コード５４に対する位置に応じて、ステップＳ２１１にて動作条件の変更が実行される。
【００４６】
これにより、作業者が所望の動作条件に対応する通光穴が形成される変更開始用プレート５０を読取窓１３を塞ぐように載置してその通光穴を塞ぐことで、所望の動作条件への変更が実行される。
したがって、光学的情報読取装置１０の動作条件の変更を容易に実行することができる。
【００４７】
さらに、変更開始用プレート５０の他側面５２には複数の通光穴５３ａ〜５３ｈが形成されるので、作業者は、読取窓１３を塞ぐように載置された変更開始用プレート５０の各通光穴のうち所望の動作条件の変更に応じた通光穴に設定キーコード６２を露出させることで、当該所望の動作条件への変更が実行される。これにより、変更すべき動作条件が何種類もある場合でも、１つの変更開始用プレート５０にて複数種類の動作条件の変更を容易に実行することができる。
【００４８】
特に、ステップＳ２０１にて設定開始用コード５４が撮像されて読み取られる場合に、通光穴が設定キーコード６２により塞がれることでこの設定キーコード６２が当該通光穴を介し撮像されて読み取られると、この通光穴の設定開始用コード５４に対する相対位置に応じて、ステップＳ２１１にて動作条件の変更が実行される。すなわち、作業者が変更開始用プレート５０の各通光穴５３ａ〜５３ｈのうち所望の動作条件の変更に応じた通光穴に対して、その通光穴を塞ぐように設定キーコード６２をかざすことで、当該所望の動作条件への変更が実行される。これにより、例えば、単に通光穴が遮光状態になっただけでは動作条件が変更されないため、作業者の意図しない動作条件の変更を防止することができる。
【００４９】
さらに、ステップＳ２０１にて通光穴を介し撮像された情報コードから許可情報が読み取られる場合に、当該通光穴の設定開始用コード５４に対する位置に応じて、ステップＳ２１１にて動作条件の変更が実行される。このため、上記設定キーコード６２と同種の情報コードであっても上記許可情報が記録されない情報コードの読み取りでは動作条件が変更されないので、作業者の意図しない動作条件の変更を確実に防止することができる。
【００５０】
なお、撮像した情報コード（設定キーコード６２）から許可情報が読み取られる場合に、ステップＳ２０７にてＹｅｓと判定されてステップＳ２０９以降の処理が実施されることに限らず、例えば、所定の規格の情報コードがステップＳ２０１にて撮像される場合に、許可情報の有無にかかわらずステップＳ２０９以降の処理が実施されてもよい。
【００５１】
図７は、本実施形態に係る変形例での動作条件変更処理のサブルーチンを例示するフローチャートである。
本実施形態に係る変形例として、動作条件変更処理のサブルーチンでは、いずれかの通光穴が遮光される状態が撮像される場合に、動作条件を変更してもよい。
【００５２】
具体的には、動作条件変更処理が開始され、図７のステップＳ２０１にて撮像されると、ステップＳ２０３ａにて、各通光穴５３ａ〜５３ｈのいずれかが遮光状態であるか否かについて判定される。そして、例えば、通光穴５３ａが遮光状態が撮像されると（Ｓ２０３ａでＹｅｓ）、ステップＳ２０９ａにて相対位置計測処理がなされ、ステップＳ２０１にて撮像された画像において、変更開始用コード５４に対する遮光状態の通光穴の相対位置が計測される。続いて、ステップＳ２１１ａにて動作条件設定処理がなされ、ステップＳ２０９にて計測された遮光状態の通光穴の相対位置と、ステップＳ１０３にて取得した相対位置情報および動作条件情報とに基づいて、当該装置の動作条件が設定される。
【００５３】
このように、作業者が所望の動作条件に対応する通光穴を単に塞ぐことで、所望の動作条件への変更が実行されるので、上述した選択用部材６０を用いることなく、光学的情報読取装置１０の動作条件の変更を容易に実行することができる。
【００５４】
なお、本発明は上記実施形態および変形例に限定されるものではなく、以下のように具体化してもよい。
（１）光学的情報読取装置１０の変更可能な動作条件としては、上述した通信速度、パリティおよびデータ長が採用されることに限らず、例えば、読み取りを許可するコードの種類であってもよい。また、変更開始用プレート５０に対して、通光穴の数を増やすことで、選択可能な動作条件の段階を増やしてもよい。また、変更開始用プレート５０に対して、通光穴を１つ設けることで、選択可能な動作条件を１つとしてもよい。
【００５５】
（２）選択用部材６０は、端面６１に設定キーコード６２が表示されるように円柱状に形成されることに限らず、設定キーコード６２を各通光穴５３ａ〜５３ｈのいずれかから露出させるのに容易な形状の部材に表示させるように形成されてもよい。
【符号の説明】
【００５６】
１０…光学的情報読取装置
１３…読取窓（読取口）
２８…受光センサ（撮像手段）
４０…制御回路（動作条件変更手段）
５０…変更開始用プレート（変更開始用部材）
５１…一側面
５２…他側面（表示面）
５３ａ〜５３ｈ…通光穴
５４…変更開始用コード
６０…選択用部材
６２…設定キーコード（特定の情報コード）
【図１】
2012252674.tif 000003
【図２】
2012252674.tif 000004
【図３】
2012252674.tif 000005
【図４】
2012252674.tif 000006
【図５】
2012252674.tif 000007
【図６】
2012252674.tif 000008
【図７】
2012252674.tif 000009